(57)【要約】      （修正有）【課題】胸骨を圧迫する際の適切な深さや力の入れ具合を容易に訓練することができる心臓マッサージトレーニング用シートを提供する。【解決手段】シート１は、心臓マッサージの訓練に用いるものであり、矩形をなしており、文字記載部２、３と人体表示部４とを備えている。また、シート１は、人体の少なくとも胸部が描かれた画像４ａと、画像４ａの心臓に対応する部位にペットボトルを配置する位置を示す目印４ｂと、を有する。【選択図】図１
0003207704.tif 000002
【実用新案登録請求の範囲】
【請求項１】
人体の少なくとも胸部が描かれた画像と、
前記画像の心臓に対応する部位に圧迫対象物を配置する位置を示す目印と、
を有することを特徴とする心臓マッサージトレーニング用シート。
【請求項２】
前記圧迫対象物はペットボトルである請求項１に記載の心臓マッサージトレーニング用シート。
【考案の詳細な説明】
【技術分野】
【０００１】
本考案は心臓マッサージトレーニング用シートに関する。
【背景技術】
【０００２】
心肺蘇生法の訓練の際の訓練効果を高める目的で様々な補助具が知られている。例えば、消防・救命訓練用マネキン或いは人体に着脱可能であり、前胸部を覆う被覆シート本体と、被覆シート本体に貼着され、人体の肋骨・胸骨部位が表示された表示部とを具備する補助具が知られている。
【先行技術文献】
【特許文献】
【０００３】
【特許文献１】実用新案登録第３１９１３３５号公報
【考案の概要】
【考案が解決しようとする課題】
【０００４】
心臓マッサージ（胸骨圧迫）においては、圧迫部位となる心臓の上部にある胸骨の位置の把握に加え、胸骨を圧迫する際の適切な深さや力のいれ具合も重要な要素の１つである。例えば、心臓に模したゴム風船等を配置しても実際の適切な深さや力の入れ具合とは異なるのが現状である。
また、ゴム風船は圧迫部位への固定が難しく、また、必ずしも身近にあるものとは言えず、準備が大変である。
１つの側面では、本考案は、胸骨を圧迫する際の適切な深さや力の入れ具合を容易に訓練することを目的とする。
【課題を解決するための手段】
【０００５】
上記目的を達成するために、開示の心臓マッサージトレーニング用シートが提供される。この心臓マッサージトレーニング用シートは、人体の少なくとも胸部が描かれた画像と、画像の心臓に対応する部位に圧迫対象物を配置する位置を示す目印と、を有している。
【考案の効果】
【０００６】
１態様では、胸骨を圧迫する際の適切な深さや力の入れ具合を容易に訓練することができる。
【図面の簡単な説明】
【０００７】
【図１】実施の形態のシートを示す図である。
【図２】実施の形態のシートおよびペットボトルの使用方法を説明する図である。
【考案を実施するための形態】
【０００８】
以下、実施の形態のシートを、図面を参照して詳細に説明する。
＜実施の形態＞
図１は、実施の形態のシートを示す図である。
【０００９】
実施の形態のシート１は、心臓マッサージの訓練に用いるものであり、圧迫の際の適切な深さや力の入れ具合を容易に訓練することができる。シート１は紙で作成されているが、ビニール、ポリエチレン等の素材を活用しても良い。
このシート１は、矩形をなしており、文字記載部２、３と、人体表示部４とを備えている。
文字記載部２には、例えば心臓マッサージの必要性を説明する文章が記載されている。
文字記載部３には、シート１の使用方法を説明する文章が記載されている。また、文字記載部３には、使い方を説明するウェブサイトやアプリ、動画等のＱＲコード（登録商標）が表示されていてもよい。
【００１０】
人体表示部４には、人体の胸部が描かれた画像４ａが掲載されている。なお、人体の画像は写真でもよいし、イラストでもよい。画像４ａの胸の中央部（心臓の位置）には、ペットボトルの形状を模した目印４ｂが描画されている。この目印４ｂは、ペットボトルの配置位置を示している。ペットボトルは複数のサイズごとに配置位置の目印があってもよい。
なお、シート１には図１に図示しない任意の情報が記載されていてもよい。
図２は、実施の形態のシートおよびペットボトルの使用方法を説明する図である。
シート１を使用する際には、シート１を平らな床上に置く。
【００１１】
そして、シート１の目印４ｂ上にペットボトル５を配置する。ペットボトル５はキャップが取り付けられており、押したときの圧力、深さ、加速度等が実際に人体の胸部を押圧したときのものに近くなるように設計されている。もちろん既製のペットボトルを活用してもよい。  ペットボトルには内部圧力を適正な値に調整するために入れる水の量を示すラインが記載されていても良い。内容物の有無は特に限定されない。
【００１２】
訓練者（使用者）がペットボトル５を圧迫することで、心臓マッサージに近い感触を選ることができる。圧迫方法は、一般的に知られている方法と同じである。一例を示せば、一方の手をペットボトルの中央部に配置する。そして、他方の手をその上に重ねる。このとき、両手の指を交互に組んでもよい。そして、肘をまっすぐに伸ばして手の付け根部分に体重をかけ、ペットボトルが適切な深さまで凹むよう（ペットボトルが少なくとも５０ｍｍ程度凹むまで）圧迫する。１分間に約１００?１２０回程度のテンポで圧迫する。絶え間なく（例えば３０回連続で）圧迫する（ただしこれらの数値は最新の心肺蘇生ガイドラインに準拠し変更するものとする）。
これにより、より実際に近い感覚で心臓マッサージの訓練を行うことができる。
訓練者が正しく訓練できているかどうかを判断する手段としては、例えば以下のものが挙げられる。
ペットボトル５に正しい圧をかけられているかを測定するために、例えばキャップ等に内部圧力を計測する器具をつけても良い。
【００１３】
また、スマートフォンやタブレット、ウェラブル機器等の情報通信端末に内蔵されるアプリケーションや、モーションキャプチャー（三次元動作解析装置）や画像認識を用いた解析装置等で訓練者の動きの位置、加速度、リズム等を計測するようにしてもよい。
また、これらの計測結果を点数化して技術の習熟度を競えるようにしても良い。
また、正しいリズムでマッサージを行えるように、連携するアプリケーションやＷｅｂ上でリズム音や音楽、動画などを再生できるようにしても良い。
【００１４】
またはシートの代わりにスマートフォンやタブレット、ヘッドマウントディスプレイやスマートグラス等の情報通信端末でＡＲ（Augmented Reality）やＶＲ（Virtual Reality）やＭＲ（Mixed Reality）により、画像や映像や音声によって人体や臓器のイメージ、心肺蘇生法およびAEDでの除細動の訓練手順、および技術の習熟度の点数等を表現しても良い。
【００１５】
以上述べたように、実施の形態のシート１によれば、ペットボトル５という身近なものを用いて胸骨を圧迫する際の適切な深さや力の入れ具合を容易に訓練することができる。
【００１６】
以上、本考案の心臓マッサージ用シートを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【符号の説明】
【００１７】
１  シート
２、３  文字記載部
４  人体表示部
４ａ  画像
４ｂ  目印
５  ペットボトル
【図１】
0003207704.tif 000003
【図２】
0003207704.tif 000004